(57)【要約】【課題】本発明は、配列基板と、表示装置及びその駆動方法を提供する。【解決手段】配列基板は、複数の表示画素ユニットを備える有効表示領域と、有効表示領域外に設けられ、且つ表示画素ユニットに駆動信号を提供するデータ駆動回路と、データ駆動回路にガンマ基準電圧を提供するガンマ電圧発生回路と、からなり、ガンマ電圧発生回路は、パルス発生回路ＴＣｏｎからのＰＷＭ信号を入力するとともに、ＰＷＭ信号に基づきガンマ基準電圧を得てデータ駆動回路まで出力する。プログラマブル制御チップの場合に比べて、コストが削減でき、電気抵抗分圧の場合と比べて、調整しやすい。【選択図】図２
2017536577.tif 000002
【特許請求の範囲】
【請求項１】
表示領域と、データ駆動回路と、ガンマ電圧発生回路と、からなる配列基板であって、
前記表示領域は、複数の表示画素ユニットからなり、
前記データ駆動回路は、有効表示領域外に設けられるとともに、前記表示画素ユニットに駆動信号を提供し、
前記ガンマ電圧発生回路は、前記データ駆動回路にガンマ基準電圧を提供し、また前記ガンマ電圧発生回路は、パルス発生回路ＴＣｏｎからのＰＷＭ信号を入力するとともに、前記ＰＷＭ信号に基づき、前記ガンマ基準電圧を得て、前記データ駆動回路にまで出力し、
その内、前記配列基板は、さらに細かく説明すると、前記ガンマ電圧発生回路に接続されたパルス発生回路からなり、さらに、前記パルス発生回路は、パルス調整サブ回路からなり、前記ガンマ電圧発生回路及び前記パルス調整サブ回路は接続され、
その内、前記ガンマ電圧発生回路は、連続して接続された、シフトレジスタと、ＯＲゲートサブ回路と、充放電サブ回路と、サンプル保持サブ回路と、からなり、さらに、前記シフトレジスタは、前記充放電サブ回路及び前記サンプル保持サブ回路と接続され、前記ＯＲゲートサブ回路及び前記充放電サブ回路の間は、一つのスイッチが直列接続され、前記スイッチはさらに電源と接続され、また、前記サンプル保持サブ回路及び前記データ駆動回路が接続され、その内、前記シフトレジスタは具体的に、順番に並べたＰＷＭ信号を、並列した複数のＰＷＭ信号に展開するのに用いられ、前記サンプル保持モジュールは、具体的に前記ガンマ基準電圧を安定させるとともに、前記データ駆動回路にまで出力するのに用いられ、その内、前記ガンマ電圧発生回路及び前記駆動回路の間の接続に、前記配列基板の薄膜電界効果トランジスタを代わりとして用いるか、または前記配列基板に印刷することを特徴とする配列基板。
【請求項２】
前記サンプル保持サブ回路は、前記ガンマ基準電圧が新たに設定された時、前記データ駆動回路が提供するガンマ基準電圧をクリアすることを特徴とする、請求項１に記載の配列基板。
【請求項３】
前記スイッチは、薄膜電界効果トランジスタからなることを特徴とする、請求項１に記載の配列基板。
【請求項４】
パルス発生回路と、配列基板と、からなる表示装置であって、
前記配列基板は、複数の表示画素ユニットを備えた有効表示領域と、前記有効表示領域外に設けられ前記表示画素ユニットに駆動信号を提供するデータ駆動回路と、前記データ駆動回路にガンマ基準電圧を提供するガンマ電圧発生回路と、からなり、その内、前記パルス発生回路は、前記データ駆動回路と、前記ガンマ発生回路とそれぞれ接続され、前記ガンマ電圧発生回路は、前記パルス発生回路からのＰＷＭ信号を入力するとともに、前記ＰＷＭ信号に基づき、前記ガンマ基準電圧を得て、前記データ駆動回路にまで出力することを特徴とする、表示装置。
【請求項５】
駆動方法であって、
パルス発生回路からのＰＷＭ信号を得る手順と、
前記ＰＷＭ信号に基づきガンマ基準電圧を得る手順と、
前記ガンマ基準電圧をデータ駆動回路にまで出力し、表示画素ユニットに表示させる手順と、からなることを特徴とする、駆動方法。
【請求項６】
前記ガンマ基準電圧を得る手順は、
順番に並べたＰＷＭ信号を並列した複数のＰＷＭ信号に展開させる手順と、
並列したＰＷＭ信号を幅の異なるＰＷＭ信号に調整する手順と、
幅の異なるＰＷＭ信号を制御信号とし、ガンマ基準電圧を提供するコンデンサに対して充放電を行い、制御信号が高電圧の時は、コンデンサを充電させ、低電圧の時は、充電を停止させ、その内、次回新たにコンデンサを充電する前に、まずコンデンサの電荷量を０にし、蓄電しないようにする手順と、
ガンマ基準電圧を安定させるとともに、データ駆動回路にまで出力させる手順と、からなることを特徴とする、請求項５に記載の駆動方法。
【請求項７】
前記ガンマ基準電圧を得る手順は、さらにガンマ基準電圧が新たに設定された時、コンデンサに溜まった電圧をクリアさせる手順からなることを特徴とする、請求項６に記載の駆動方法。
【発明の詳細な説明】
【技術分野】
【０００１】
本発明は、表示装置の技術領域に関し、特に配列基板と、表示装置及びその駆動方法に関する。
【背景技術】
【０００２】
ＴＦＴ−ＬＣＤ表示装置は一般的に、配列基板と、カラーフィルタ基板と、その間に挟まれた液晶層と、からなる。配列基板は、配列して並べられた画素によって構成される有効表示領域からなり、さらに有効表示領域外のデータ駆動回路Ｓｏｕｒｃｅ  Ｄｒｉｖｅｒと、走査駆動回路Ｇａｔｅ  Ｄｒｉｖｅｒと、を備える。データ駆動回路及び走査駆動回路は、それぞれ各画素に接続され、画素を駆動させることにより表示させる。
【０００３】
ＴＦＴ−ＬＣＤ表示装置は、さらにデータ駆動回路にガンマ基準電圧を提供することが必要であり、現在、液晶パネルの駆動回路内のガンマ電圧を発生させるため、業界では、主に二種類の方式が採用されている。一つは、電気抵抗を用いて分圧させる方式と、もう一つは、図１に示すように、プログラマブル制御チップであるＰｏｗｅｒ  ＩＣを加える方式とがある。二つ目の方式については、データ駆動回路をさらに、配列基板の外のパルス発生回路及びプログラマブル制御チップにそれぞれ接続させる。プログラマブル制御チップの主な作用は、データ駆動回路にガンマ基準電圧を提供することである。
【０００４】
一つ目の方法によって、電気抵抗分圧の方式を採用した場合、このような電圧を提供する方式は、コストは比較的低いが、電圧提供の方法がスムーズではなく、調整しにくい。二つ目の方式によれば、プログラマブル制御チップは、直接ガンマ電圧を出力することができ、このような電圧の提供方式はスムーズである。しかし、プログラマブル制御チップはコストがかかり、プログラマブル制御チップを採用した場合、生産コストがかさむことも否めない。
【発明の概要】
【発明が解決しようとする課題】
【０００５】
本発明は、高いコストと、調整のしにくさの問題を解決する、プログラマブル制御チップを採用した場合と比べて、コストが削減でき、且つ電気抵抗分圧を採用した場合に比べて、調整しやすい配列基板と、表示装置及びその駆動方法を提供することを目的とする。
【課題を解決するための手段】
【０００６】
上記の技術問題を解決するため、本発明は、表示領域と、データ駆動回路と、ガンマ発生回路と、からなる配列基板を提供する。
【０００７】
前記表示領域は、複数の表示画素ユニットからなる。
【０００８】
前記データ駆動回路は、有効表示領域外に設けられるとともに、表示画素ユニットに駆動信号を提供する。
【０００９】
前記ガンマ電圧発生回路は、データ駆動回路にガンマ基準電圧を提供し、前記ガンマ電圧発生回路は、パルス発生回路からのＰＷＭ信号を入力するとともに、ＰＷＭ信号に基づき、ガンマ基準電圧を得てデータ駆動回路にまで出力する。
【００１０】
その内、配列基板は、さらに細かく説明すると、ガンマ電圧発生回路に接続されたパルス発生回路からなり、さらに、前記パルス発生回路は、パルス調整サブ回路からなり、ガンマ電圧発生回路及びパルス調整サブ回路は接続される。
【００１１】
その内、ガンマ電圧発生回路は、連続して接続された、シフトレジスタと、ＯＲゲートサブ回路と、充放電サブ回路と、サンプル保持サブ回路と、からなり、さらに、シフトレジスタは、充放電サブ回路及びサンプル保持サブ回路と接続され、ＯＲゲートサブ回路及び充放電サブ回路の間は、一つのスイッチが直列接続され、スイッチはさらに電源と接続され、サンプル保持サブ回路及びデータ駆動回路が接続される。その内、シフトレジスタは具体的に、順番に並べたＰＷＭ信号を、並列した複数のＰＷＭ信号に展開するのに用いられ、サンプル保持モジュールは、具体的にガンマ基準電圧を安定させるとともに、データ駆動回路にまで出力するのに用いられる。その内、前記ガンマ電圧発生回路及び前記駆動回路の間の接続に、前記配列基板の薄膜電界効果トランジスタを代わりとして用いるか、または前記配列基板に印刷する。
【００１２】
その内、ガンマ基準電圧が新たに設定された時、データ駆動回路にガンマ基準電圧を提供するコンデンサに溜まった電圧をクリアする。
【００１３】
その内、スイッチは、薄膜電界効果トランジスタからなる。
【００１４】
上述の問題を解決するため、本発明が採用するもう一つの技術考案は、表示装置を提供する。
【００１５】
パルス発生回路及び配列基板の内、配列基板は、複数の表示画素ユニットを備えた有効表示領域と、有効表示領域外に設置され、且つ表示画素ユニットに駆動信号を提供するデータ駆動回路と、データ駆動回路にガンマ基準電圧を提供するガンマ電圧発生回路と、からなり、その内、パルス発生回路は、データ駆動回路と、ガンマ発生回路と、それぞれ接続され、ガンマ電圧発生回路は、パルス発生回路から来るＰＷＭ信号を入力するとともに、ＰＷＭ信号に基づき、ガンマ基準電圧を得て、データ駆動回路にまで出力する。
【００１６】
上述の技術上の問題を解決するために、本発明は、さらに、以下の手順からなる駆動方法を提供する。
【００１７】
パルス発生回路からのＰＷＭ信号を受信する手順である。
【００１８】
ＰＷＭ信号に基づきガンマ基準電圧を得る手順である。
【００１９】
ガンマ基準電圧をデータ駆動回路にまで出力し、表示画素ユニットに表示させる手順である。
【００２０】
その内、ガンマ基準電圧を得る手順は以下のものからなる。
【００２１】
順番に並べたＰＷＭ信号を並列した複数のＰＷＭ信号に展開させる手順である。
【００２２】
並列したＰＷＭ信号を幅の異なるＰＷＭ信号に調整する手順である。
【００２３】
幅の異なるＰＷＭ信号を制御信号として、ガンマ基準電圧を提供するコンデンサに対して充放電を行わせる。制御信号が高電圧の時は、コンデンサを充電させ、低電圧の時は、充電を停止させる。その内、次回新たにコンデンサを充電する前に、まずコンデンサの電荷量を０にし、蓄電しないようにする。
【００２４】
ガンマ基準電圧を安定させるとともに、データ駆動回路にまで出力させる手順である。
【００２５】
その内、ガンマ基準電圧を得る手順は、さらにガンマ基準電圧が新たに設定された時、コンデンサに溜まった電圧をクリアさせる手順からなる。
【発明の効果】
【００２６】
本発明の効果は、以下の通りである。本発明が提供する配列基板は、ガンマ発生回路が集積している内、ガンマ発生回路の少なくとも一部分または全部及び配列基板のその他部品のＡｒｒａｙ制作工程において、製造コストと材料コストにおいて実際の増加は少なく、一つのＰｏｗｅｒ ＩＣを単独で製造するのに比べて、コストが大幅に下がる。また、電気抵抗分圧を採用した場合と比べて、可変電気抵抗を採用すれば、コンピューターを用いて電気抵抗の変換を制御することが困難であり、且つ可変電気抵抗は、さらにシミュレーション回路特有の不安定さの問題があるゆえ、製品の型番に基づき採用する電気抵抗の大きさと電気抵抗を配分する電圧を確定させる必要があり、調整しにくい。それに対し本発明におけるパルス発生回路が発生させるＰＷＭ信号を制御信号とし、電源によってデータ駆動回路に提供されるガンマ基準電圧は、製品の型番による制限を受けず、調整しやすい。
【図面の簡単な説明】
【００２７】
【図１】従来の方式の内、プログラマブル制御チップによってガンマ電圧を提供する構造概略図である。
【図２】本発明による表示装置の一実施例の構造概略図である。
【図３】本発明による配列基板の一実施例の回路概略図である。
【図４】本発明による駆動方法の一実施方式の工程図である。
【図５】本発明による駆動方法のもう一つの実施方式の工程図である。
【図６】本発明による駆動方法の一実施例の内、ＰＷＭ信号が一つの完全な周期の電圧波形の概略図である。
【図７】本発明による駆動方法の一実施例の内、ＰＷＭ信号がシフトレジスタを通過する電圧波形の概略図である。
【図８】本発明による駆動方法の一実施例の内、ＰＷＭ信号がＯＲゲートサブ回路を通過する電圧波形の概略図である。
【図９】本発明による駆動方法の一実施例の内、ＰＷＭ信号が充放電サブ回路を通過する電圧波形の概略図である。
【図１０】本発明による駆動方法の一実施例の内、ＰＷＭ信号がサンプル保持サブ回路を通過する電圧波形の概略図である。
【図１１】本発明による駆動方法の一実施例の内、ＰＷＭ信号が充放電サブ回路を通過する電圧波形の概略図である。
【図１２】本発明による駆動方法の一実施例の内、ＰＷＭ信号が充放電サブ回路及びサンプル保持サブ回路を通過する電圧波形の概略図である。
【発明を実施するための形態】
【００２８】
以下では、図及び実施方式を示して、本発明について詳しく説明する。
【００２９】
図２を参照する。図２は、本発明による表示装置の内、一つの実施例の構造概略図である。前記表示装置は、配列基板１１０と、パルス発生回路１２０と、からなる。
【００３０】
前記配列基板１１０は、表示領域１１１と、データ駆動回路１１２と、ガンマ電圧発生回路１１３と、からなる。
【００３１】
前記表示領域１１１は、配列して並べられた複数の表示画素ユニット（図示せず）からなり、走査駆動回路１１４及びデータ駆動回路１１２からの駆動信号に基づき、対応する図像を表示するのに用いられる。
【００３２】
データ駆動回路１１２は、表示領域１１１内の表示画素ユニットに駆動信号を提供するのに用いられる。
【００３３】
ガンマ電圧発生回路１１３は、パルス発生回路１１４が発生させたＰＷＭ信号を受信するとともに、ＰＷＭ信号に基づきスイッチのオン及びオフを制御するのに用いられる。スイッチがオンの時、Ｖｃｃによってデータ駆動回路にガンマ基準電圧を提供するコンデンサを充電させる一方、スイッチがオフの時、充電を停止させ、データ駆動回路１１２に提供するガンマ基準電圧を得る。
【００３４】
パルス発生回路１２０は、パルス駆動信号を発生するのに用いられ、走査駆動回路１１４及びデータ駆動回路１１２のそれぞれを駆動させるとともに、ガンマ電圧発生回路１１３にＰＷＭ信号を送信する。
【００３５】
従来の技術と違うのは、本実施方式は、ガンマ発生回路を配列基板内に集中させて設けることにより、余分な制御チップを増やす必要がなく、価格の比較的高価なプログラマブル制御のチップを採用した場合に比べて、コストが削減できることである。また、プログラマブル制御において、チップを基板に接続するには、多くのデータ線が必要であるのに対して、本発明内においては、一本のデータ線だけでＰＷＭ信号を送信でき、本発明内のガンマ基準電圧発生回路及びデータ駆動回路の間の接続に、配列基板の薄膜電界効果トランジスタを代わりに用いるか、または基板に印刷すると、配列基板において負担が生じず、パルス発生回路及び基板の間に必要なデータ線の数を減らすことができる。また、電気抵抗分圧方式を採用した場合に比べて、可変電気抵抗を採用すると、コンピューターで電気抵抗の変換を制御するのは困難である上に、可変電気抵抗には、シミュレーション回路に特有の不安定さの問題もあるゆえ、通常用いられる電気抵抗は、製品の型番に基づき、電気抵抗の大小及び電気抵抗により得られる電圧を確定させるため、調整しにくい。それに対し、本発明は、パルス発生回路が発生させるＰＷＭ信号がスイッチオン及びオフを制御することで電源によってデータ駆動回路に提供されるガンマ基準電圧は、装置の型番による制限の影響がなく、更に調整しやすい。
【００３６】
図３を参照する。図３は、本発明の配列基板による一つの実施例の構造概略図である。前記配列基板は、図２に示す表示装置内の配列基板１１０に準ずる。また、前記配列基板は、ガンマ電圧発生回路２２０と、データ駆動回路２３０と、走査駆動回路２４０と、表示領域２４０と、を備える。
【００３７】
ガンマ電圧発生回路２２０は、シフトレジスタ２２１と、ＯＲゲートサブ回路２２２と、スイッチ２２３と、充放電サブ回路２２４と、サンプル保持サブ回路２２５と、からなる。
【００３８】
シフトレジスタ２２１は、パルス発生回路２１０が発生させたＰＷＭ信号を受信するとともに、ＰＷＭ信号を、並列した複数のＰＷＭ信号に展開させるのに用いられる。
【００３９】
例えば、パルス発生回路２１０は、一周期５つのパルス信号からなるＰＷＭ信号を発生させる。同時に図７を参照する。図７は、本発明の駆動方法による一実施例において、ＰＷＭ信号がシフトレジスタを通過する電圧波形の概略図である。シフトレジスタ２２１は、パルス発生回路２１０が順番に発生させたＷ＿ｄｉｓｃｈａｒｇｅ、Ｗ１、Ｗ２、Ｗ３、Ｗ＿ｓａｍｐｌｅ信号を受信し、前記順序でＰＷＭ信号を、並列する複数のＳＲ＿ｄｉｓｃｈａｒｇｅ、ＳＲ１、ＳＲ２、ＳＲ３、ＳＲ  ＿ｓｍｐｌｅ信号に展開させ、ＳＲ＿ｄｉｓｃｈａｒｇｅ信号を、充放電サブ回路２２４及びサンプル保持サブ回路２２５にまで送信し、ＳＲ  ＿ｓａｍｐｌｅ信号を、サンプル保持サブ回路２２５にまで送信し、ＳＲ１、ＳＲ２、ＳＲ３信号を、ＯＲゲートサブ回路２２２にまで送信する。
【００４０】
ＯＲゲートサブ回路２２２は、前記並列した３つのＰＷＭ信号を受信し、並列した３つのＰＷＭ信号を異なる幅のＰＷＭ信号に調整するのに用いられる。
【００４１】
例えば、上記した５つの並列したＰＷＭ信号内の３本のＰＷＭ信号を、幅の異なる三本のＰＷＭ信号に調整する。同時に図８を参照する。図８は、本発明の駆動方法による一実施例のうち、ＰＷＭ信号がＯＲゲートサブ回路を通過する電圧波形の概略図である。ＯＲゲートサブ回路２２２は、並列した複数のＰＷＭ信号のうち、ＳＲ１、ＳＲ２、ＳＲ３信号を、幅の異なるＯＲ１、ＯＲ２、ＯＲ３信号に調整するとともに、スイッチ２２３にまで送信する。スイッチ２２３は、薄膜電界効果トランジスタ、またはその他の同様の効果を持った機能を備えるトランジスタと、からなり、また、スイッチ２２３を、ＯＲゲートサブ回路２２２と、Ｖｃｃと（図示せず）、充放電サブ回路２２４とにそれぞれ接続させる。
【００４２】
スイッチ２２３は、ＰＷＭ信号によりスイッチのオン及びオフを制御し、電圧電流の通過を制御する。
【００４３】
具体実施例内のスイッチ２２３は、薄膜電界効果トランジスタまたは同様の効果を持った機能を備えるその他のトランジスタであり、上記の異なるＰＷＭ信号は、スイッチ２２３のオンまたはオフを制御する。ＰＷＭ信号が高電圧の時、スイッチ２２３をオンにし、ＰＷＭ信号が低電圧の時、スイッチ２２３をオフにする。
【００４４】
充放電サブ回路２２４は、スイッチ２２３のオンまたはオフに基づき、データ駆動回路２３０にガンマ基準電圧を提供するコンデンサに対して充放電を行うのに用いられる。図９を参照する。図９は、本発明の駆動方法のうち一実施例の内、ＰＷＭ信号が充放電サブ回路を通過する電圧波形の概略図である。スイッチ２２３がオンの時、Ｖｃｃによってコンデンサを充電させ、スイッチ２２３がオフの時、充電を停止させるとともに、次回新たに充電する前、先にシフトレジスタ２２１を通過するＰＷＭ信号内で、放電信号ＳＲ＿ｄｉｓｃｈａｒｇｅのコンデンサにおける電圧を０にし、蓄電しないようにする。同時に図１１を参照する。図１１は、本発明の駆動方法による一実施例の内、ＰＷＭ信号が充放電サブ回路を通る電圧波形の概略図である。
【００４５】
サンプル保持サブ回路２２５は、充電する時、前記コンデンサのガンマ基準電圧にエラーが生じるのを避け、サンプル保持サブ回路２２５を用いて、コンデンサのガンマ基準電圧を安定させるとともに、安定した電圧をデータ駆動回路２３０にまで送信するのに用いられる。図１０を参照する。図１０は、本発明の駆動方法による一実施例の内、ＰＷＭ信号がサンプル保持サブ回路を通過する電圧波形の概略図である。最後のＰＷＭ信号の有効幅Ｗ３が終了してから、Ｗ＿ｓａｍｐｌｅ信号が送信される。この時Ｖｔａｒの電圧はコンデンサを充電させ、データ駆動回路２３０に送信する電圧を安定して保持させる。その内Ｒｅｓｅｔ信号（ｄｉｓｃｈａｒｇｅ信号）を用いて、コンデンサに溜まった電圧をクリアする。ガンマ基準電圧が新たに設定される時、コンデンサをクリアする必要がある。同時に図１２を参照する。図１２は、本発明の駆動方法による一実施例の内、ＰＷＭ信号が充放電サブ回路及びサンプル保持サブ回路を通過する電圧波形の概略図である。
【００４６】
データ駆動回路２３０は、ガンマ電圧発生回路２２０が発生させるガンマ基準電圧及びパルス発生回路２１０の制御信号を受信し、受信した制御信号に基づき、駆動表示領域２３０に対応する図像を表示させるのに用いられる。
【００４７】
走査駆動回路２４０は、駆動表示領域２３０に走査駆動信号を送信するのに用いられる。
【００４８】
表示領域２３０は、走査駆動回路２４０及びデータ駆動回路１０２の駆動信号に基づき、対応する図像を表示するのに用いられる。
【００４９】
図４を参照する。図４は、本発明の駆動方法による一つの実施方式の工程図である。本発明が提供する駆動方法は、以下のＳ１０１、Ｓ１０２、Ｓ１０３の手順からなる。
【００５０】
Ｓ１０１は、パルス発生回路からのＰＷＭ信号を受信する手順である。
【００５１】
平面表示装置の駆動システムは一般的に、走査駆動回路及びデータ駆動回路からなり、走査駆動回路は、ある画素をオンまたはオフにする役割があり、データ駆動回路は、ある画素がオンの時に画素電圧信号を提供する役割がある。走査駆動回路及びデータ駆動回路は、ＴＣｏｎが発生させる信号によって制御されると同時に、ＴＣｏｎが発生させる制御信号電圧が足りない場合は、さらに参考電圧を提供する必要がある。ＰＷＭ信号は、パルス発生回路によって生じ、前記パルス発生回路は、ＴＣｏｎ内のＰＷＭ信号を発生させるサブ回路またはその他同様の効果を持った回路によることができる。
【００５２】
Ｓ１０２は、前記ＰＷＭ信号に基づき、ガンマ基準電圧を受信する手順である。
【００５３】
手順Ｓ１０１で受信したＰＷＭ信号が制御するスイッチオンまたはオフの信号に基づき、電源によってデータ発生回路にガンマ基準電圧を提供するコンデンサに対して充放電を行う。ＰＷＭ信号が高電圧でスイッチオンの信号の時、Ｖｃｃによって前記コンデンサを充電させ、ＰＷＭ信号が低電圧でスイッチオフの信号の時、充電を停止させるとともに、次回新たに充電する前に、先に放電信号によってコンデンサの電圧が０になるようにし、蓄電しないようにしてから、ガンマ基準電圧を受信する。
【００５４】
Ｓ１０３は、前記ガンマ基準電圧をデータ駆動回路にまで送信する手順である。
【００５５】
前記ガンマ基準電圧を、データ駆動回路にまで送信する。データ駆動回路は、受信した信号に基づき駆動信号に変換し、表示領域にまで送信する。
【００５６】
表示領域は、受信した走査駆動回路信号及びデータ駆動回路の駆動信号に基づき、対応する図像を表示させる。
【００５７】
図５を参照する。図５は、本発明の駆動方法による別の一実施方式の工程図である。本発明が提供するもう一つの駆動方法は、以下のＳ２０１，Ｓ２０２，Ｓ２０３，Ｓ２０４．Ｓ２０５，Ｓ２０６の手順からなる。
【００５８】
Ｓ２０１は、パルス発生回路からのＰＷＭ信号を受信する手順である。
【００５９】
ＰＷＭ信号がパルス発生回路に発生してから、手順Ｓ２０２へと進む。
【００６０】
Ｓ２０２は、ＰＷＭ信号を並列した複数のＰＷＭ信号に展開する手順である。
【００６１】
パルス発生回路から送信されたＰＷＭ信号は、シフトレジスタによって並列した複数のＰＷＭ信号に展開され、パルス発生回路から送信されたＰＷＭ信号が５つのパルス信号によってなる場合、シフトレジスタによって５本の並列したＰＷＭ信号に展開されてから、手順Ｓ２０３へと進む。
【００６２】
Ｓ２０３は、ＰＷＭ信号を、幅の異なるＰＷＭ信号に調整する手順である。
【００６３】
手順Ｓ２０２によって処理された５本の並列したＰＷＭ信号内の３本のＰＷＭ信号は、ＯＲゲートサブ回路によって、３本の幅の異なるＰＷＭ信号に揃えられる。同時に図８を参照する。図８は、本発明の駆動方法のうち一実施例において、ＰＷＭ信号がＯＲゲートサブ回路を通過する電圧波形の概略図である。手順Ｓ２０２によって並列した、複数のＰＷＭ信号の内ＳＲ１、ＳＲ２、ＳＲ３信号を、幅の異なるＯＲ１、ＯＲ２、ＯＲ３信号に調整するとともに、スイッチ２２３にまで送信する。スイッチ２２３は、薄膜電界効果トランジスタまたはその他の同様の効果を持った機能を備えるトランジスタからなり、スイッチ２２３を、ＯＲゲートサブ回路２２２と、Ｖｃｃと（図示せず）、充放電サブ回路２２４とにそれぞれ接続する。
【００６４】
Ｓ２０４は、データ駆動回路にガンマ基準電圧を提供し、コンデンサに充放電させる手順である。
【００６５】
手順Ｓ２０３によって処理したＰＷＭ信号は、スイッチオン及びオフを制御し、ＰＷＭ信号が高電圧である時は、Ｖｃｃによってコンデンサを充電させ、ＰＷＭ信号が低電圧である時は、充電を停止させる。また、次に新たに充電する前に、先に放電信号によってコンデンサが０になるようにし、蓄電しないようにしてから、手順Ｓ２０５へと進む。
【００６６】
Ｓ２０５は、ガンマ基準電圧を安定させる手順である。
【００６７】
充電する時、ガンマ電圧の電圧に間違いが生じるのを避けるため、サンプル保持サブ回路２２５を用いてガンマ基準電圧を安定させるとともに、手順Ｓ２０４のＰＷＭ信号の放電信号によって、データ駆動回路が提供するガンマ基準電圧のコンデンサに溜まった電圧をクリアしてから、手順Ｓ２０６へと進む。
【００６８】
Ｓ２０６は、ガンマ基準電圧を送信する手順である。
【００６９】
安定したガンマ基準電圧を、データ駆動回路にまで送信する。
【００７０】
以下では、一実施例内の一つの完全な周期を例として、本発明の駆動方法についてさらに説明を行う。一周期が５つのパルス信号からなるＰＷＭ信号を例とする。
【００７１】
図６を参照する。図６は、本発明の駆動方法における一実施例の内、ＰＷＭ信号が一つの完全な周期の場合の電圧波形の概略図である。
【００７２】
パルス発生回路は、ＰＷＭ信号を発生させ、Ｗ＿ｄｉｓｃｈａｒｇｅ、Ｗ１、Ｗ２、Ｗ３、Ｗ＿ｓａｍｐｌｅ、Ｗ１、Ｗ２、Ｗ３からなる信号を、シフトレジスタにまで送信し、シフトレジスタによって、並列したＳＲ＿ｄｉｓｃｈａｒｇｅ、ＳＲ１、ＳＲ  ２、ＳＲ  ３、ＳＲ  ＿ｓａｍｐｌｅ信号に変換し、ＳＲ＿ｄｉｓｃｈａｒｇｅ信号を、充放電サブ回路及びサンプル保持サブ回路にまで送信し、ＳＲ  ＿ｓａｍｐｌｅ信号を、サンプル保持サブ回路にまで送信し、ＳＲ１、ＳＲ２、ＳＲ３信号を、ＯＲゲートサブ回路によってＯＲ１、ＯＲ２、ＯＲ３信号に変換し、ＯＲ１、ＯＲ２、ＯＲ３信号によって薄膜電界効果トランジスタのオンまたはオフを制御する。ＯＲ１、ＯＲ２、ＯＲ３信号が高電圧の時、Ｖｃｃによってデータ駆動回路にガンマ基準電圧を提供するコンデンサを充電させ、低電圧の時、コンデンサの充電を停止させる。
【００７３】
上記は、本発明の実施方式に過ぎず、本発明の特許範囲を制限するものではなく、本発明の明細書及び図の内容を用いて行われる同様の構造または同様の工程の調整、さらに直接的にまたは間接的にその他関係する技術分野において用いられるものについては、すべて同様に、本発明の特許保護範囲内に含まれる。
【符号の説明】
【００７４】
１１０    配列基板
１１１    表示領域
１１２    データ駆動回路
１１３    ガンマ電圧発生回路
１１４    走査駆動回路
１２０    パルス発生回路
２１０    ガンマ電圧発生回路
２１１    シフトレジスタ
２１２    ＯＲゲートサブ回路
２１３    スイッチ
２１４    充放電サブ回路
２１５    サンプル保持サブ回路
２２０    データ駆動回路
２３０    表示領域
２４０    走査駆動回路
【図１】
2017536577.tif 000003
【図２】
2017536577.tif 000004
【図３】
2017536577.tif 000005
【図４】
2017536577.tif 000006
【図５】
2017536577.tif 000007
【図６】
2017536577.tif 000008
【図７】
2017536577.tif 000009
【図８】
2017536577.tif 000010
【図９】
2017536577.tif 000011
【図１０】
2017536577.tif 000012
【図１１】
2017536577.tif 000013
【図１２】
2017536577.tif 000014
【国際調査報告】
2017536577.tif 000015
2017536577.tif 000016
2017536577.tif 000017
2017536577.tif 000018